(57)【要約】【課題】折り畳み後の積み重ね安定性がよく、折り畳み後、小側板間の隙間や大側板間の隙間が見えず、陳列の演出効果を高める折り畳み収納ボックスを提供する。【解決手段】底板と、底板の側端から起立する内寸法高さがＨ1の４つの第１小側板〜第４小側板と、小側板の内側において回動自在にヒンジ結合され、起立することで、該小側板と協働で４つの大側板を形成する４つの第１中側板〜第４中側板、を備え、第２中側板と第４中側板が折り畳まれ、その上に第１中側板と第３中側板が折り畳まれ、４つの中側板の折り畳み高さＨ2は、該Ｈ1より小である折り畳み収納ボックス。【選択図】図５
2020005743.tif 000002
【特許請求の範囲】
【請求項１】
４つの辺部を有する底板と、
該底板の側端から起立する内寸法高さがＨ1の４つの第１小側板〜第４小側板と、
該小側板の内側において回動自在にヒンジ結合され、起立することで、該小側板と協働で４つの大側板を形成する４つの第１中側板〜第４中側板と、を備え、
対峙する第１中側板と第３中側板の第１ヒンジ結合は、対峙する第２中側板と第４中側板の第２ヒンジ結合より上方に位置し、第２中側板と第４中側板が折り畳まれ、その上に第１中側板と第３中側板が折り畳まれ、４つの中側板の折り畳み高さＨ2は、該Ｈ1より小であり、
第１中側板〜第４中側板が起立するボックス形状において、第２中側板及び第４中側板のそれぞれの両側端面は、第１中側板及び第３中側板の内側面に当接していることを特徴とする折り畳み収納ボックス。
【請求項２】
第１中側板と第３中側板は側面視において厚みに段差があり、第１中側板と第３中側板が起立状態において、厚みが小の下部がそれぞれ第１小側板と第３小側板の内側面に当接し、厚みが大の上部がそれぞれ第１小側板と第３小側板の上方に位置することを特徴とする請求項１記載の折り畳み収納ボックス。
【請求項３】
第２中側板と第４中側板は側面視において厚みに段差があり、第２中側板と第４中側板が起立状態において、厚みが小の下部がそれぞれ第２小側板と第４小側板の内側面に当接し、厚みが大の上部がそれぞれ第２小側板と第４小側板の上方に位置することを特徴とする請求項１又は２記載の折り畳み収納ボックス。
【請求項４】
第１中側板と第３中側板は互いに同一形状であり、第２中側板と第４中側板は互いに同一形状であることを特徴とする請求項１〜３のいずれか１項に記載の折り畳み収納ボックス。
【請求項５】
第１中側板と第３中側板の横方向長さは、第２中側板と第４中側板の横方向長さより小であることを特徴とする請求項１〜４のいずれか１項に記載の折り畳み収納ボックス。
【請求項６】
第１小側板〜第４小側板の内側面で、且つ高さ方向におけるヒンジ結合位置より上方において、横方向に適宜のピッチで複数の内側に突出した突起を形成したことを特徴とする請求項１〜５のいずれか１項に記載の折り畳み収納ボックス。
【請求項７】
第１中側板〜第４中側板には、ボックス形状において、該突起に嵌る切欠部を形成したことを特徴とする請求項６に記載の折り畳み収納ボックス。
【請求項８】
底板の裏面には、折り畳み状態で積み重ねの際、第１小側板〜第４小側板で囲まれる内側に嵌る高さＨ3の脚部が形成されていることを特徴とする請求項１〜７のいずれか１項に記載の折り畳み収納ボックス。
【請求項９】
該Ｈ1は、（Ｈ2＋Ｈ3）と同じ又は（Ｈ2＋Ｈ3）より大であることを特徴とする請求項８に記載の折り畳み収納ボックス。
【発明の詳細な説明】
【技術分野】
【０００１】
本発明は、量販店、スーパーなどで使用される収納箱兼商品陳列台として好適な折り畳み収納ボックスに関するものである。
【背景技術】
【０００２】
量販店、スーパーなどで使用される収納箱兼商品陳列台として使用する折り畳み収納ボックスとしては、種々のものが提案されている。
【０００３】
特開２０１３-３１５４７号公報には、陳列商品が載置される平面視が長方形の天板と、脚部を兼ねる対峙位置にある一対の小側板と脚部を兼ねる対峙位置にある一対の大側板の都合４つの側板とから構成されるプラスチック製の折り畳みボックス状の台であって、該天板と該４つの側板とは、それぞれ係合凹部及び係合凸部で係合され、該天板と該大側板の上下方向における係合位置は、該天板と該小側板の上下方向における係合位置より該天板側にあり、折り畳みは、該天板の裏面に該大側板が該天板に略平行となるように折り畳まれ、次いで該大側板に重ねて該小側板が該天板及び該大側板に略平行となるように折り畳まれるものであることを特徴とする収納箱兼用折り畳み商品陳列台が開示されている。図  は、折り畳み後の商品陳列台を示す。この本発明によれば、折り畳み構造であり、収納箱としても、また、前面開口が広い開口で、後方が囲み状の商品陳列台としても使用できる。
【０００４】
一方、特開２０１３-３１５４７号公報記載の折り畳み商品陳列台を、折り畳み状態として、これを数枚積み重ねて、商品陳列台として使用することがある。
【先行技術文献】
【特許文献】
【０００５】
【特許文献１】特開２０１３-３１５４７号公報
【発明の開示】
【発明が解決しようとする課題】
【０００６】
しかしながら、このような折り畳み状態として、これを数枚あるいは数十枚を積み重ねて、商品陳列台として使用する場合、折り畳まれた小側板間の隙間が見えてしまう。これでは、陳列する商品の商品イメージが悪くなり、陳列の演出としては好ましくない。また、特開２０１３-３１５４７号公報記載の商品陳列台は、折り畳み後の積み重ねを想定しておらず、積み重ねると不安定となり、陳列台として使用はできない。そこで、折り畳み後の積み重ね安定性がよいこと、折り畳み状態で積み重ねられた陳列台としての使用の際、折り畳まれた小側板間の隙間が見えず、陳列の演出に悪影響しない折り畳み収納ボックスが望まれていた。
【０００７】
従って、本発明の目的は、折り畳み後の積み重ね安定性がよく、折り畳み後、小側板間の隙間や大側板間の隙間が見えず、陳列の演出効果を高める折り畳み収納ボックスを提供することにある。
【課題を解決するための手段】
【０００８】
すなわち、本発明は、上記従来の課題を解決したものであって、４つの辺部を有する底板と、該底板の側端から起立する内寸法高さがＨ1の４つの第１小側板〜第４小側板と、該小側板の内側において回動自在にヒンジ結合され、起立することで、該小側板と協働で４つの大側板を形成する４つの第１中側板〜第４中側板と、を備え、対峙する第１中側板と第３中側板の第１ヒンジ結合は、対峙する第２中側板と第４中側板の第２ヒンジ結合より上方に位置し、第２中側板と第４中側板が折り畳まれ、その上に第１中側板と第３中側板が折り畳まれ、４つの中側板の折り畳み高さＨ2は、該Ｈ1より小であり、第１中側板〜第４中側板が起立するボックス形状において、第２中側板及び第４中側板のそれぞれの両側端面は、第１中側板及び第３中側板の内側面に当接していることを特徴とする折り畳み収納ボックスを提供するものである。
【０００９】
また、本発明は、第１中側板と第３中側板は側面視において厚みに段差があり、第１中側板と第３中側板が起立状態において、厚みが小の下部がそれぞれ第１小側板と第３小側板の内側面に当接し、厚みが大の上部がそれぞれ第１小側板と第３小側板の上方に位置することを特徴とする前記折り畳み収納ボックスを提供するものである。
【００１０】
また、本発明は、第２中側板と第４中側板は側面視において厚みに段差があり、第２中側板と第４中側板が起立状態において、厚みが小の下部がそれぞれ第２小側板と第４小側板の内側面に当接し、厚みが大の上部がそれぞれ第２小側板と第４小側板の上方に位置することを特徴とする前記折り畳み収納ボックスを提供するものである。
【００１１】
また、本発明は、第１中側板と第３中側板は互いに同一形状であり、第２中側板と第４中側板は互いに同一形状であることを特徴とする前記折り畳み収納ボックスを提供するものである。
【００１２】
また、本発明は、第１中側板と第３中側板の横方向長さは、第２中側板と第４中側板の横方向長さより小であることを特徴とする前記折り畳み収納ボックスを提供するものである。
【００１３】
また、本発明は、第１小側板〜第４小側板の内側面で、且つ高さ方向におけるヒンジ結合位置より上方において、横方向に適宜のピッチで複数の内側に突出した突起を形成したことを特徴とする前記折り畳み収納ボックスを提供するものである。
【００１４】
また、本発明は、第１中側板〜第４中側板には、ボックス形状において、該突起に嵌る切欠部を形成したことを特徴とする前記折り畳み収納ボックスを提供するものである。
【００１５】
また、本発明は、底板の裏面には、折り畳み状態で積み重ねの際、第１小側板〜第４小側板で囲まれる内側に嵌る高さＨ3の脚部が形成されていることを特徴とする前記折り畳み収納ボックスを提供するものである。
【００１６】
また、本発明は、該Ｈ1は、（Ｈ2＋Ｈ3）と同じ又は（Ｈ2＋Ｈ3）より大であることを特徴とする前記折り畳み収納ボックスを提供するものである。
【発明の効果】
【００１７】
本発明によれば、４つの中側板の折り畳み後、中側板の折り畳み高さは、小側板の内寸法高さより小となるため、中側板は小側板である枠体内に完全に収納される。このため、折り畳み体を複数個、積み重ねた商品陳列台は、小側板間の隙間や大側板間の隙間が見えず、陳列の演出効果を高めることができる。また、折り畳み後は、小側板で囲まれた枠体同士の積み重ねとなり、安定した積み重ね状態となる。
【図面の簡単な説明】
【００１８】
【図１】本発明の実施の形態における折り畳み収納ボックス（以下、単に「収納ボックス」と言う。）の斜視図である。
【図２】図１の収納ボックスを上下逆さにした斜視図である。
【図３】図１の収納ボックスの分解斜視図である。
【図４】図１の収納ボックスの対峙する第２と第４の中側板を折り畳んだ図である。
【図５】図１の収納ボックスの中側板を全て折り畳んだ図である。
【図６】図５の収納ボックスの折り畳み状態における一部の拡大平面図である。
【図７】図６において小側板及び底板から起立する起立部を塗りつぶすことで、中側板以外の部材を明確にした参考図である。
【図８】図４のＸ1-Ｘ1線に沿って切断した図である。
【図９】図４のＸ2-Ｘ2線に沿って切断した図である。
【図１０】図１の収納ボックスの積み重ねを説明する図である。
【図１１】図１０の収納ボックスの積み重ね部分の断面図である。
【図１２】図１の収納ボックスの陳列台としての使用例を示す図である。
【発明を実施するための形態】
【００１９】
次に、本発明の実施の形態における収納ボックスを図１〜図９を参照して説明する。収納ボックス１０は、４つの辺部を有する略矩形状の底板１５と、底板１５の側端から起立する内寸法高さがＨ1の４つの第１小側板１１、第２小側板１２、第３小側板１３、第４小側板１４と、小側板１１〜１４の内側においてそれぞれ回動自在にヒンジ結合され、起立することで、小側板１１〜１４と協働で４つの大側板を形成する４つの第１中側板１、第２中側板２、第３中側板３、第４中側板４と、を備える。収納ボックス１０において、第１小側板１１と第３小側板１３は同じ形状であり、第２小側板１２と第４小側板１４は同じ形状である。また、第１中側板１と第３中側板３は同じ形状であり、第２中側板２と第４中側板４は同じ形状である。
【００２０】
収納ボックス１０において、底板１５の裏面は、大部分の下方へ突出する高さＨ3の脚部１５３と縁部に形成された係合凹部１５２を備える。折り畳まれた収納ボックス１０の係合凹部１５２が、下方の折り畳まれた収納ボックス１０の小側板１１〜１４の内側突起１１３、１２３、１３３、１４３に当接し、係合凹部１５２により形成された段差が、収納ボックスの横移動を規制するため、安定した積み重ね状態となる。収納ボックス１０において、底板１５の表面（上面）は、本例は平坦面であるが、折り畳まれる第２中側板１２と第４中側板１４が水平姿勢となる表面であればよく、脚部１５３の形状に沿った凹部を有する場合、凹部の端部コーナーに、第２中側板１２と第４中側板１４が当たり上げ底となる突起部材を形成してもよい。
【００２１】
収納ボックス１０において、対峙する第１中側板１と第３中側板３の第１ヒンジ結合１１１、１３１は、対峙する第２中側板１２と第４中側板１４の第２ヒンジ結合１２１、１４１より上方に位置し、第２中側板２と第４中側板４が折り畳まれ、その上に第１中側板１と第３中側板３が折り畳まれる。そして、４つの中側板１〜４の折り畳み高さＨ2は、小側板の内寸法高さＨ1より小である（図１１参照）。これにより、折り畳み状態において、４つの中側板１〜４は、側面視において、小側板で形成される枠体内に隠れるように完全に収納される。なお、本例では、底板１５には、高さＨ3の脚部１５３が形成され、且つ折り畳まれた中側板１〜４の上には、更に高さＨ3より大の高さＨ4の隙間が形成されている。このため、例えば、２つの収納ボックス１０、１０を積み重ねると、底板１５の脚部１５３２は、下方の折り畳まれた収納ボックス１０内に埋没するため、収納ボックス１０、１０は、側面視において中側板などの中身が見えず、小側板１１〜１４しか見えない。
【００２２】
収納ボックス１０において、第１小側板１１と第１中側板１との関係について説明する。第１小側板１１は薄板状であり、第１小側板１１の内側で且つ少し離れた対峙位置には、第１小側板１１の高さより低い高さの内壁１１２が形成されている。内壁１１２には、第１中側板１を回転自在に付設されるヒンジ結合部１２２のヒンジ軸１１１が、幅方向（横方向）に適宜のピッチで３箇所に付設されている。ヒンジ軸１１１の形成位置は、第１中側板１と第３中側板３を折り畳んだ際、折り畳まれた第２中側板２及び第４側板４上に、概ね隙間なく、好ましくはほとんど隙間なく重ねられる位置である。また、第１小側板１１の内側面には、幅方向（横方向）に適宜の距離、離れた位置に、内側に突出すると共に高さが第１小側板１１と同じ四角柱状の突起１１３、１１３が形成されている。四角柱状の突起１１３、１１３の内側面（外側面）と内壁１１２の内側面（外側面）は面一となっている。突起１１３は、折り畳まれた収納ボックス１０が積み重ねられる際、上方の収納ボックス１０の底板１５に形成された係合凹部１５２に嵌る（当接する）ものである。これにより、上方の収納ボックス１０の固定が安定する。内壁１１２の厚みは、第１中側板１が起立状態の際、内壁１１２の内側の面（外面）が、第１中側板１の内面と面一となるものが好ましい。これにより収納ボックス１０をボックスとして使用する際、大側板の内壁面が平坦面となり、内容積が増す。第１小側板１１は、ボックス形状において、側板（大側板）の一部を構成するものであり、折り畳み形状において、側板の全部を構成するものである。ヒンジ結合部１２２はヒンジ軸１１１と、ヒンジ軸１１１が嵌る切欠部孔が形成された結合突起体で構成される。
【００２３】
第１中側板１は、第１小側板１１より厚みが大である板状体であり、厚みが薄い下部１１ａと厚みが大の上部１１が段差を形成して繋がっている。厚みが小の下部が第１小側板の内側面に当接し、厚みが大の上部が第１小側板の上方に位置する。下部１１ａには、幅方向（横方向）に適宜の距離、離れた位置に、下端から上方に切り欠かれた四角柱状の突起１１３に対応する切欠部１３３、１３３が形成されている。また、下部１１ａの下端には、幅方向（横方向）に適宜の距離、離れた位置に、ヒンジ軸１１１に係止するヒンジ結合部１２２が形成されている。第１中側板１は、ヒンジ結合部１２２がヒンジ軸１１１に回動自在に係止され、起立状態において、上部１１と下部１１ａの境界である段差が第１小側板１１の上面に載ると共に、第１小側板１１と第１中側板１と協働で大側板を形成する。この大側板は、第１小側板１１の外面と第１中側板１の外面が面一となるため、ボックス使用においては、ひとつの側板のような印象を与える。本例では、第１小側板１１の横方向長さと、第１中側板１の横方向長さは同じである。なお、収納ボックス１０において、第１小側板１１及び第１中側板１と対峙する第３小側板１３及び第３中側板３は、第１小側板１１及び第１中側板１の関係と同じであり、その説明を省略する。
【００２４】
収納ボックス１０において、第４小側板１４と第４中側板４との関係について説明する。第４小側板１４と第４中側板４において、第１小側板１１と第１中側板１と異なる点は、横方向長さが共に長い点、横方向長さが長いために、ヒンジ軸１４１の設置数を１つ多い４つとした点、第４小側板１４の内壁１４２の高さが第１小側板１１の内壁１１２の高さより低い点である。
【００２５】
すなわち、収納ボックス１０において、第４小側板１４は薄板状であり、第４小側板１４の内側で且つ少し離れた対峙位置には、第４小側板１４の高さより低く、且つ第１小側板１１の内壁１１２より低い高さの内壁１４２が形成されている。内壁１４２には、第４中側板４を回転自在に付設されるヒンジ結合部４２のヒンジ軸１４１が、幅方向（横方向）に適宜のピッチで４箇所に付設されている。ヒンジ軸１４１の形成位置は、折り畳んだ第４中側板４が底板１５上に略水平状態に横たわるような位置である。また、第４小側板１４の内側面には、幅方向（横方向）に適宜の距離、離れた位置に、内側に突出すると共に高さが第４小側板１４と同じ四角柱状の突起１４３、１４３が形成されている。四角柱状の突起１４３、１４３の内側面（外側面）と内壁１４２の内側面（外側面）は面一となっている。突起１４３は、折り畳まれた収納ボックス１０が積み重ねられる際、上方の収納ボックス１０の底板１５に形成された係合凹部１５２に嵌る（当接する）ものである。これにより、上方の収納ボックス１０の固定が安定する。内壁１４２の厚みは、第４中側板４が起立状態の際、内壁１４２の内側の面（外面）が、第４中側板４の内面（外面）と面一となるものが好ましい。これにより収納ボックス１０をボックスとして使用する際、大側板の内壁が平坦面となり、内容積が増す。第４小側板１４は、ボックス形状において、側板（大側板）の一部を構成するものであり、折り畳み形状において、側板の全部を構成するものである。
【００２６】
第４中側板４は、第４小側板１４より厚みが大である板状体であり、厚みが薄い下部４１ａと厚みが大の上部４１が段差を形成して繋がっている。厚みが小の下部が第４小側板の内側面に当接し、厚みが大の上部が第４小側板の上方に位置する。下部４１ａには、幅方向（横方向）に適宜の距離、離れた位置に、下端から上方に切り欠かれた四角柱状の突起１４３に対応する切欠部４３、４３が形成されている。また、下部４１ａの下端には、幅方向（横方向）に適宜の距離、離れた位置に、ヒンジ軸１４１に係止するヒンジ結合部４２が形成されている。第４中側板４は、ヒンジ結合部４２がヒンジ軸１４１に回動自在に係止され、起立状態において、上部４１と下部４１ａの境界である段差が第４小側板１４の上面に載ると共に、第４小側板１４と第４中側板４と協働で大側板を形成する。この大側板は、第４小側板１４の外面と第４中側板４の外面が面一となるため、ボックス使用においては、ひとつの側板のような印象を与える。なお、第１小側板１１と第４小側板１４の接続部（コーナー部）は、段差構造となっている。すなわち、第４小側板１４の両端部は、内側に折れて段差となっており、第４中側板４の横方向長さは、第４小側板１４の段差までの横方向長さと同じである。第１小側板１１と第４小側板１４の接続部（コーナー部）を、段差構造とすることにより、第１中側板１〜第４中側板４が起立状態のボックス形状となったとき、第１小側板１１〜第４小側板１４で形成される外面と第１中側板１〜第４中側板４で形成される外面が面一となり、意匠性が優れたものとなる。なお、収納ボックス１０において、第４小側板１４及び第４中側板４と対峙する第２小側板１２及び第２中側板２は、第４小側板１４及び第４中側板４の関係と同じであり、その説明を省略する。
【００２７】
収納ボックス１０において、底板１５と第１小側板１１〜第４小側板１４は一体ものである。このため、この一体ものに対して、４つの第１中側板１〜第４中側板４を取り付ければ、収納ボックス１０が得られる。取り付け方法は、ヒンジ軸に第１中側板１〜第４中側板４の結合突起体を係止してヒンジ結合部を形成すればよい。
【００２８】
収納ボックス１０において、ボックス使用する場合、第１中側板１〜第４中側板４を起立させる（図１参照）。起立順序は、第１中側板１及び第３中側板３を起立させ、その後、第２中側板２及び第４中側板４を起立させる。その際、第２中側板２及び第４中側板４のそれぞれの両側端面は、第１中側板１及び第３中側板３の内側面（中側板の内側面）に当接している。これにより、第１中側板１及び第３中側板３は、内側に折り畳めない。第１中側板１〜第４中側板４の起立状態において、第１小側板１１〜第４小側板１４に形成された柱状の突起部１１３等は、第１中側板１〜第４中側板４の切欠部１３３等に嵌っている。なお、第２中側板２又は第４中側板４には、この状態から折り畳めないロック機構を有するものが好ましい。ロック機構としては、例えば、第２中側板２及び第４中側板４の両端面に、弾性体により出没自在に埋め込まれたピンまたはボールを付設し、第１中側板１及び第３中側板２の対応する内側の面には、ピンまたはボールと嵌る係止孔を形成したものが挙げられる（不図示）。なお、第１中側板１〜第４中側板４は、下部１１ａ〜１４ａが第１小側板１１〜第４小側板１４の内側に位置しており、外側に倒れることはない。
【００２９】
ボックス状態の収納ボックス１０は、上面が開口のボックスであり、第１小側板１１〜第４小側板１４と第１中側板１〜第４中側板４は、外側の面及び内側の面はそれぞれ面一であり、一体の側板を形成しているように見えるため、意匠性を保持しており、また、内面に凹凸がないため、使い勝手がよい。なお、ボックス状態の収納ボックス１０は、図２のように、上下逆さとして、陳列台として使用してもよい。
【００３０】
次に、収納ボックス１０を折り畳んで、複数台を積み重ね、陳列台として使用する方法について説明する。ボックス状態の収納ボックス１０において、第２中側板２及び第４中側板４を内側に折り畳む（図４参照）。この際、第２中側板２及び第４中側板４は、底板１５上に水平姿勢で折り畳まれる。次いで、第１中側板１及び第３中側板３を内側に折り畳む（図５参照）。この際、第２中側板２及び第４中側板４は、折り畳まれた第１中側板１及び第３中側板３上に隙間なく、水平姿勢で折り畳まれる。収納ボックス１０において、４つの中側板１〜４の折り畳み高さＨ2は、小側板の内寸法高さＨ1より小である（図１１参照）。また、これにより、折り畳み状態において、４つの中側板１〜４は、側面視において、小側板で形成される枠体内に隠れるように完全に収納される。また、底板１５の脚部１５３の高さＨ3は、折り畳まれた中側板１〜４の上の隙間Ｈ4より小であり、底板１５の脚部１５３が、小側板の中に入り込んだ積み重ね収納が可能となる。
【００３１】
折り畳んだ収納ボックス１０を複数個、準備し、これを積み重ねて陳列台２０として、使用することができる（図１１及び図１２）。収納ボックス１０の陳列台２０としての使用によれば、小側板で囲まれた枠体の積み重ねと同じであり、上方の小側板で囲まれた枠体の下面と、下方の小側板で囲まれた枠体の上面とが当接するため、側面視において、隙間は存在しない。このため、陳列の演出効果を高めることができる。また、折り畳み収納ボックス１０内の上方には、隙間Ｈ4が形成されており、展示用垂れ幕、ピン類などの小物を外部から見えないように、収納することができる。
【００３２】
本発明は、上記実施の形態例に限定されず、種々の変形を採ることができる。例えば、第１小側板〜第４小側板で形成される四隅の角部の段差はなくてもよい。この場合、ボックス形状において、第１小側板〜第４小側板で形成される四隅に隙間ができるものの、折り畳み後の積み重ねにおいては、最上部の収納ボックスを除いて、この隙間は隠される。また、収納ボックスにおいて、柱状の突起部の形状や数、ヒンジの形式や数などは適宜決定すればよい。また、収納ボックスにおいて、底板の裏面の脚部はなくてもよい。
【産業上の利用可能性】
【００３３】
本発明によれば、収納ボックスとしての使用、折り畳んだ収納ボックスの複数個を使用して陳列台としての使用が可能となる。折り畳み後は、中側板が小側板である枠体内に完全に収納されるため、側板間の隙間が見えず、陳列の演出効果を高めることができる。また、小側板で形成される枠体同士の積み重ねとなるため、安定して積み重ね状態となる。
【符号の説明】
【００３４】
１      第１中側板
２      第２中側板
３      第３中側板
４      第４中側板
１０      収納ボックス
１１      第１小側板
１２      第２小側板
１３      第３小側板
１４      第４小側板
１５      底板
２０      陳列台
【図１】
2020005743.tif 000003
【図２】
2020005743.tif 000004
【図３】
2020005743.tif 000005
【図４】
2020005743.tif 000006
【図５】
2020005743.tif 000007
【図６】
2020005743.tif 000008
【図７】
2020005743.tif 000009
【図８】
2020005743.tif 000010
【図９】
2020005743.tif 000011
【図１０】
2020005743.tif 000012
【図１１】
2020005743.tif 000013
【図１２】
2020005743.tif 000014